(57)【要約】  本発明のＰＭモータのモータ定数算出方法は、直流成分と複数の周波数成分を含む印加電圧をＰＭモータに印加する電圧印加ステップと、電圧印加ステップで印加した印加電圧に応じて流れるモータ電流を検出するモータ電流検出ステップと、印加電圧とモータ電流に基づいてＰＭモータのモータ定数を算出するモータ定数算出ステップと、を有する。
2012046409.tif 000002
【特許請求の範囲】
【請求項１】
直流成分と複数の周波数成分を含む印加電圧をＰＭモータに印加する電圧印加ステップと、
前記電圧印加ステップで印加した前記印加電圧に応じて流れるモータ電流を検出するモータ電流検出ステップと、
前記印加電圧と前記モータ電流に基づいて前記ＰＭモータのモータ定数を算出するモータ定数算出ステップと、
を有するＰＭモータのモータ定数算出方法。
【請求項２】
前記電圧印加ステップにおいて、異なる複数の直流成分と前記複数の周波数成分を含む印加電圧をＰＭモータに印加する請求項１記載のＰＭモータのモータ定数算出方法。
【請求項３】
前記複数の周波数成分を含む前記印加電圧が、ホワイトノイズを加算した前記印加電圧である請求項１または請求項２のいずれか１項に記載のＰＭモータのモータ定数算出方法。
【請求項４】
前記ホワイトノイズは、Ｍ系列信号である請求項３記載のＰＭモータのモータ定数算出方法。
【請求項５】
前記複数の周波数成分を含む前記印加電圧は、時間的に周波数の変化する正弦波を加算した前記印加電圧である請求項１記載のＰＭモータのモータ定数算出方法。
【請求項６】
前記モータ定数算出ステップは、
印加電圧時系列データを入力とし、検出電流時系列データを出力とした周波数特性を演算し、前記周波数特性から前記ＰＭモータの前記モータ定数を算出する請求項１記載のＰＭモータのモータ定数算出方法。
【請求項７】
前記モータ定数算出ステップにおいて、
算出される前記ＰＭモータの前記モータ定数は、電気的時定数、抵抗値、インダクタンス値のうち少なくとも１つである請求項１記載のＰＭモータのモータ定数算出方法。
【請求項８】
前記モータ定数算出ステップは、
前記周波数特性からカットオフ周波数を求め、前記カットオフ周波数から前記ＰＭモータの前記電気的時定数を算出する請求項７記載のＰＭモータのモータ定数算出方法。
【請求項９】
前記モータ定数算出ステップは、
前記周波数特性からカットオフ周波数を求め、前記カットオフ周波数より低周波領域のゲイン特性から前記ＰＭモータの前記抵抗値を算出する請求項７記載のＰＭモータのモータ定数算出方法。
【請求項１０】
前記モータ定数算出ステップは、
前記周波数特性からカットオフ周波数を求め、前記カットオフ周波数でのゲイン特性から前記ＰＭモータの前記抵抗値を算出する請求項７記載のＰＭモータのモータ定数算出方法。
【請求項１１】
前記モータ定数算出ステップは、
前記周波数特性からカットオフ周波数を求め、前記カットオフ周波数から前記ＰＭモータの前記電気的時定数を算出し、前記カットオフ周波数より低周波領域のゲイン特性もしくは前記カットオフ周波数でのゲイン特性から前記ＰＭモータの前記抵抗値を算出し、算出された前記電気的時定数および前記抵抗値から前記ＰＭモータの前記インダクタンス値を算出する請求項７記載のＰＭモータのモータ定数算出方法。
【請求項１２】
請求項１から１１記載のいずれか１項に記載のＰＭモータのモータ定数算出方法を有するＰＭモータのモータ定数算出装置。
【発明の詳細な説明】
【技術分野】
【０００１】
本発明は、ＰＭモータのモータ定数算出方法およびモータ定数算出装置に関する。
【背景技術】
【０００２】
近年、ＰＭモータを高精度に制御するために、モータの電機子抵抗やインダクタンスなどのモータ定数を正確に把握することが求められている。例えば、ＰＭモータの磁極位置をセンサなしで制御する位置センサレス制御では、モータ定数を用いて磁極位置を推定する手法が多く採用されている。また、ＰＭモータのベクトル制御では、電流制御が多く適用され、電流制御部のゲインを適切に設定するためにモータ定数を用いている。【０００３】
そこで、モータを回転させずに、ＰＭモータのモータ定数を容易に求める技術がいくつか知られている（例えば、特許文献１参照）。特許文献１に開示された技術は、まず、ＰＭモータに直流電流を流した時の入力電圧と入力電流から巻線抵抗の値を求める。つぎに、ＰＭモータに交流電流を流したときの入力電圧と入力電流の基本波成分を抽出し、入力電圧と入力電流のそれぞれの大きさ、および入力電圧と入力電流の位相差からインダクタンスの値を求める。これにより、ＰＭモータのモータ定数を求めている。【０００４】
また、ＰＭモータのモータ定数を求める別の技術は、例えば特許文献２に開示されている。特許文献２によれば、まず、大小の異なる２つのレベルの直流電流を流したときのそれぞれの電圧を記憶する。つぎに、記憶した２つのレベルの電圧の差分を、２つのレベルの電流の差分で除して巻線抵抗の値を算出する。同時に、大きいレベルの直流電流に基づく電圧値から小さいレベルの直流電流に基づく電圧値へ急変させたときの電流が、所定値に変化するまでの時間を計測する。そして、計測した時間と、算出した巻線抵抗の値からインダクタンスの値を算出する。【０００５】
しかし、特許文献１では、巻線抵抗の値を求めるためにＰＭモータに流す直流電流が定常状態となるまでに時間が必要になる。また、巻線抵抗の値とインダクタンスの値を別々の試験信号を用いて計測するため、計測に時間を要するなどの課題があった。さらに、インダクタンスの値を求めるために流す交流電流の周波数を適切に設定しないと位相差の検出精度が低下する。そのため、計測した位相差の誤差が大きくなってしまう。【０００６】
一方、特許文献２でも、特許文献１と同様に、巻線抵抗を求めるためにＰＭモータに流す直流電流が定常状態となるまでに時間が必要になる。また、巻線抵抗の値とインダクタンスの値を別々の試験信号を用いて計測するため、計測に時間を要するなどの課題があった。さらに、大きいレベルから小さいレベルの電圧値に急変させたときに流れる電流が所定値に変化するまでの時間を計測する場合、レベルの判断や、計測する時間に誤差を含みやすい。また、電流の大きさによってインダクタンスの値が変化するモータの場合、時定数一定の応答にならないため、正しいインダクタンスの値を算出できないという課題があった。
【先行技術文献】
【特許文献】
【０００７】
【特許文献１】特開２０００−３１２４９８号公報
【特許文献２】特開２００９−２３２５７３号公報
【発明の概要】
【０００８】
本発明のモータ定数算出方法は、直流成分と複数の周波数成分を含む印加電圧をＰＭモータに印加する電圧印加ステップと、電圧印加ステップで印加した印加電圧に応じて流れるモータ電流を検出するモータ電流検出ステップと、印加電圧とモータ電流に基づいてＰＭモータのモータ定数を算出するモータ定数算出ステップと、を有する。
【０００９】
これにより、ＰＭモータのモータ定数を短時間で精度良く算出できる。
【図面の簡単な説明】
【００１０】
【図１】図１は、本発明の実施の形態１におけるＰＭモータのモータ定数算出装置の構成を示すブロック図である。
【図２】図２は、本発明の実施の形態１におけるモータ定数を算出する処理の流れを示すフローチャートである。
【図３】図３は、ＰＭモータの単相通電状態を説明する等価回路図である。
【図４Ａ】図４Ａは、ＰＭモータの伝達関数（ゲイン）の周波数特性を示す図である。
【図４Ｂ】図４Ｂは、ＰＭモータの伝達関数（位相）の周波数特性を示す図である。
【図５】図５は、本発明の実施の形態２におけるモータ定数を算出する処理の流れを示すフローチャートである。
【図６】図６は、同実施の形態におけるモータ電流とインダクタンスとの関係を示す図である。
【発明を実施するための形態】
【００１１】
以下、本発明の実施の形態について、図面を参照しながら説明する。なお、本実施の形態によって本発明が限定されるものではない。
【００１２】
（実施の形態１）
以下に、本発明の実施に形態１おけるＰＭモータのモータ定数算出方法およびモータ定数算出装置について、図１を用いて説明する。
【００１３】
図１は、本発明の実施の形態１におけるＰＭモータのモータ定数算出装置の構成を示すブロック図である。なお、図１のブロック図は、ＰＭモータのモータ定数算出装置に必要となる機能部分のみを示している。そこで、図１を用いて各機能ブロックの機能と機能ブロック間の関係を説明する。
【００１４】
図１に示すように、本実施の形態のＰＭモータのモータ定数算出装置は、少なくとも電圧指令生成部１と、ＰＭモータ２と、インバータ３と、電流検出器４ａ、４ｂと、電流検出部５と、モータ定数算出部６と、から構成される。
【００１５】
すなわち、図１に示すＰＭモータのモータ定数算出装置は、以下に示すような機能ブロックの動作により、ＰＭモータ２を駆動する。
【００１６】
つまり、電圧指令生成部１は、モータ定数を算出するためにＰＭモータ２に印加する印加電圧の電圧指令を生成する。インバータ３は、電圧指令生成部１から出力される電圧指令を受けてＰＭモータ２に印加電圧を印加する。電流検出器４ａおよび電流検出器４ｂは、少なくともインバータ３からＰＭモータ２に流れるモータ電流Ｉｕ、Ｉｗを検出する。電流検出部５は、電流検出器４ａ、４ｂで検出されたモータ電流をモータ電流検出値に変換する。モータ定数算出部６は、電圧指令生成部１の出力である電圧指令と、電流検出部５の出力であるモータ電流検出値の入力に基づいて、ＰＭモータ２のモータ定数を算出する。
【００１７】
以下に、各機能ブロックの動作および作用について、図２から図４Ｂを用いて、図１を参照しながら説明する。
【００１８】
図２は、本発明の実施の形態１におけるモータ定数を算出する処理の流れを示すフローチャートである。図３は、ＰＭモータの単相通電状態を説明する等価回路図である。図４Ａは、ＰＭモータの伝達関数（ゲイン）の周波数特性を示す図である。図４Ｂは、ＰＭモータの伝達関数（位相）の周波数特性を示す図である。
【００１９】
図２に示すように、まず、モータ定数算出の処理が開始されると、インバータ３はＰＭモータ２に直流電圧を印加して、ＰＭモータ２の回転子を所定の位置に引き込む。これは、ＰＭモータ２は、回転子に磁石が存在するため電圧印加によって回転子が回転する場合があるので、予めＰＭモータ２の回転子を所定の位置に固定するためである。そのため、モータ定数の算出には、ＰＭモータ２の回転子が静止した状態で行うことが好ましい。そこで、例えばＵ相にＶａ、Ｖ相およびＷ相に−Ｖａ／２の直流電圧を印加して、ＰＭモータ２の回転子を所定の位置に引き込む（ステップＳ１０１）。なお、直流電圧Ｖａは、ＰＭモータ２の回転子が所定の位置に十分引き込まれるように、例えば電圧印加時にＰＭモータ２の定格電流程度の電流が流れる時の電圧として設定される。
【００２０】
このとき、ＰＭモータ２の回転子を所定の位置に引き込んだ後のＰＭモータ２の等価回路は、図３に示すようになる。つまり、図３に示すように、ＰＭモータ２の回転子は回転していないので、ＰＭモータ２の等価回路は相抵抗Ｒと相インダクタンスＬからなり、Ｕ−ＶＷ間に単相の印加電圧が印加されることになる。これにより、電流軸（ｄ軸）と磁極軸が一致した状態となる。
【００２１】
つぎに、モータ定数を算出するために、電圧指令生成部１は、ＰＭモータ２に印加する印加電圧である電圧指令Ｖｓ（ｔ）を生成する（ステップＳ１０２）。具体的には、（数１）に示すような、直流成分Ｖ０に複数の周波数成分を持つＶｎ（ｔ）を加算した電圧指令Ｖｓ（ｔ）を生成する。このとき、電圧指令Ｖｎ（ｔ）として、例えばＭ系列信号（Ｍａｘｉｍｕｍ  Ｌｅｎｇｔｈ  Ｓｅｑｕｅｎｃｅ  Ｓｉｇｎａｌ）を用いる。
【００２２】
なお、Ｖ０とＶｎを加算した電圧指令Ｖｓ（ｔ）を生成する理由については、後述する。
【００２３】
【数１】
2012046409.tif 000003
【００２４】
そして、電圧指令生成部１で生成された電圧指令Ｖｓ（ｔ）に基づいて、引き込み時と同様にＵ−ＶＷ間に単相の印加電圧が印加されるように、例えばＵ相にＶｓ（ｔ）、Ｖ相とＷ相に−Ｖｓ（ｔ）／２を印加する（ステップＳ１０３）。このとき、電圧指令Ｖｓ（ｔ）によってＰＭモータ２に流れるモータ電流は、磁極軸と同じｄ軸に流れるので、ＰＭモータ２の回転子を回転させるトルクは発生しない。これにより、ＰＭモータ２の回転子を静止させた状態で、モータ定数を算出するためのデータ測定が可能となる。
【００２５】
つぎに、電流検出器４ａ、４ｂおよび電流検出部５は、ステップＳ１０３の印加電圧を印加した時に流れるモータ電流Ｉｓ（ｔ）を検出する。
【００２６】
そして、ステップＳ１０３で印加された電圧指令Ｖｓ（ｔ）と、電圧指令Ｖｓ（ｔ）の応答となるモータ電流Ｉｓ（ｔ）とをサンプリングし、時系列データとして取り込む（ステップＳ１０４）。この場合、モータ電流Ｉｓ（ｔ）は、Ｕ−ＶＷ間に印加された単相の印加電圧に対するモータ電流となるため、Ｕ相のモータ電流がサンプリングされることになる。
【００２７】
つぎに、印加電圧時系列データの入力である電圧指令Ｖｓ（ｔ）と、検出電流時系列データの出力であるモータ電流Ｉｓ（ｔ）との関係を用いて、電圧指令Ｖｓ（ｔ）からモータ電流Ｉｓ（ｔ）への伝達関数Ｈ（ｓ）の周波数特性を求める（ステップＳ１０５）。なお、伝達関数Ｈ（ｓ）の周波数特性は、電圧指令Ｖｓ（ｔ）およびモータ電流Ｉｓ（ｔ）を、ＦＦＴ（Ｆａｓｔ  Ｆｏｕｒｉｅｒ  Ｔｒａｎｓｆｏｒｍ）処理などにより得ることができる。
【００２８】
このとき、電圧指令Ｖｓ（ｔ）が印加されているときのＰＭモータの等価回路は図３に示した通りで伝達関数は（数２）式で表される。
【００２９】
【数２】
2012046409.tif 000004
【００３０】
なお、伝達関数は、カットオフ周波数がＲ／Ｌ、ＤＣ（Ｄｉｒｅｃｔ  Ｃｕｒｒｅｎｔ）ゲインが１／Ｒとなる一次遅れ特性となる。
【００３１】
ここで、（数２）式で示される伝達関数の周波数特性について、図４Ａと図４Ｂを用いて説明する。
【００３２】
図４Ａは、ＰＭモータの伝達関数（ゲイン）の周波数特性を示す図である。図４Ｂは、ＰＭモータの伝達関数（位相）の周波数特性を示す図である。
【００３３】
図４Ａと図４Ｂに示すように、ＰＭモータの伝達関数の周波数特性である、ゲインおよび位相と周波数との関係を調べることにより、カットオフ周波数Ｒ／ＬおよびＤＣゲイン１／Ｒを求めることができる。このとき、例えばカットオフ周波数はゲイン特性のＤＣゲインから約３ｄＢ下がる周波数として求めてもよいし、位相が−４５°となる周波数としても求めてもよい。また、ＤＣゲインは低周波数域のゲイン特性から求めてもよいし、カットオフ周波数でのＤＣゲインに約３ｄＢ加算した値から求めてもよい。
【００３４】
そして、モータ定数である、電気的時定数Ｌ／Ｒはカットオフ周波数の逆数より、相抵抗ＲはＤＣゲインの逆数より、インダクタンスＬは得られたカットオフ周波数と、ゲイン特性のＤＣゲインとから計算できる（ステップＳ１０６）。なお、上記により得られるインダクタンスＬの値はｄ軸のインダクタンスの値である。
【００３５】
以上で説明したように、本実施の形態によれば、直流成分と複数の周波数成分を含む印加電圧をＰＭモータに印加し、印加した印加電圧に応じて流れるモータ電流を検出することにより、印加した印加電圧と検出されたモータ電流との関係を用いてＰＭモータのモータ定数を算出する。つまり、直流成分と複数の周波数成分を含む印加電圧を印加して、モータ電流を検出するだけでモータ定数を算出できる。
【００３６】
これにより、モータ電流が定常状態になるまで待つ時間を不要とするとともに、複数の試験信号を印加してモータ定数を算出する必要がないので、大幅な時間短縮が可能となる。
【００３７】
また、本実施の形態によれば、電圧指令とモータ電流の関係である周波数特性を用いて、モータ定数を算出する。その結果、ノイズなどの影響を分離して、高い精度でモータ定数を算出できる。さらに、カットオフ周波数を位相が−４５°となる周波数として求める場合、最も位相変化が大きな点で求めることができる。そのため、モータ定数であるカットオフ周波数を高精度で求めることができる。
【００３８】
（実施の形態２）
本発明の実施の形態２におけるＰＭモータのモータ定数算出方法およびモータ定数算出装置について、図を用いて説明する。
【００３９】
本実施の形態では、ＰＭモータに、異なる複数の直流成分を含む印加電圧を印加してモータ定数であるインダクタンスの値を算出する点で、実施の形態１とは異なる。他の構成や動作は、実施の形態１と同様であるので、説明を省略する。
【００４０】
以下に、異なる複数の直流成分を含む印加電圧を印加してモータ定数であるインダクタンスの値を算出する理由について説明する。
【００４１】
一般に、モータの種類により、磁気飽和などの影響や、モータ電流の大きさによってモータのモータ定数であるインダクタンスの値は変化する。しかし、実施の形態１のモータ定数であるインダクタンスの値の算出方法では、１つのインダクタンスの値しか算出されない。そのため、上記で示す理由により、モータ定数が変化した場合には、正確なインダクタンスの値でモータを制御できない場合があるためである。
【００４２】
以下に、本実施の形態の各機能ブロックの動作および作用について、図５と図６を用いて、図１を参照しながら具体的に説明する。
【００４３】
図５は、本発明の実施の形態２におけるモータ定数を算出する処理の流れを示すフローチャートである。図６は、同実施の形態におけるモータ電流とインダクタンスとの関係を示す図である。なお、図５において、ステップＳ１０１からステップＳ１０６は、図２を用いて説明した実施の形態１と同様の処理を行うので、説明を省略する。
【００４４】
つまり、図５では、図２の各ステップに、さらにステップＳ２０７の処理が追加されているので、追加されたステップについて詳細に説明する。
【００４５】
図５に示すように、ステップＳ１０１からステップＳ１０６の処理を実行した後、ステップＳ１０２での電圧指令の生成において複数ある直流成分Ｖ０の印加電圧の全てが設定されたか否かを判断する（ステップＳ２０７）。ここで、複数の直流成分Ｖ０の印加電圧は、ゼロからＰＭモータ２の仕様である最大電流が流れるときの電圧値までの間で、予め設定される。
【００４６】
このとき、複数ある直流成分Ｖ０の印加電圧のうち、設定していない値（印加電圧）がある場合（ステップＳ２０７のＹｅｓ）、複数ある直流成分Ｖ０の印加電圧のうち、設定していない値（印加電圧）を１つ選択し、ステップＳ１０２に戻る。そして、ステップＳ１０２からステップＳ１０６の処理を順次繰り返して実行し、複数ある直流成分の各印加電圧に対するＰＭモータのモータ定数を算出する。
【００４７】
一方、複数ある直流成分Ｖ０の印加電圧の全ての値が実行された場合（ステップＳ２０７のＮｏ）、モータ定数の算出処理を終了する。
【００４８】
つまり、ステップＳ１０２からステップＳ１０６までの処理を繰り返して、直流成分Ｖ０の印加電圧を複数設定することにより、図６に示すような各直流成分Ｖ０の印加電圧に対応するモータ電流の平均値と算出されたモータ定数であるインダクタンスとの関係が複数得られる。
【００４９】
そして、図６に示す関係から、ＰＭモータのモータ電流に応じた複数のモータ定数である、例えばインダクタンスの値を算出できる。
【００５０】
これにより、モータ電流の変化まで考慮して、安定でかつ高い精度で複数のモータ定数であるインダクタンスの値を算出できる。
【００５１】
以上のように、本実施の形態によれば、複数の直流成分と複数の周波数成分を含む印加電圧をＰＭモータに印加し、印加した複数の印加電圧に応じて流れる複数のモータ電流を検出することにより、複数の印加した印加電圧と検出されたモータ電流の関係を用いてＰＭモータのモータ定数を算出する。
【００５２】
これにより、変化するモータ電流に応じたモータ定数の算出が可能となる。
【００５３】
なお、上記各実施の形態では、ＰＭモータのモータ定数の算出方法について説明したが、これに限られず、同様の機能を有すれば、どのような構成や具現化方法を用いてもよいことは言うまでもない。例えば、図１のブロック図におけるＰＭモータ２以外の機能ブロックをＰＭモータのモータ定数算出装置の１つの機能として組み込み、設定により機能させる構成としてもよい。また、電圧指令生成部１とモータ定数算出部６をＰＭモータのモータ定数算出装置と連動するＰＣ（Ｐｅｒｓｏｎａｌ  Ｃｏｍｕｐｕｔｏｒ）のアプリケーションソフトとして構成してもよい。これにより、モータ定数算出装置の構成を簡略化できる。
【００５４】
また、引き込み処理（ステップＳ１０１）での印加電圧をＶａとしたが、ＰＭモータの回転子が引き込まれるのであれば任意の異なる値でもよい。
【００５５】
また、上記各実施の形態では、電圧指令Ｖｓ（ｔ）に加算される複数の周波数成分を含む信号としてＭ系列信号を用いる例で説明したが、これに限られない。例えば、周波数特性を求めることができれば、ホワイトノイズ信号や、正弦波掃引信号など時間的に周波数の変化する正弦波信号など、他の信号を用いてもよい。これにより、必要に応じて、任意の信号で周波数特性を求めることができる。
【００５６】
また、上記各実施の形態では、印加する電圧指令Ｖｓ（ｔ）からモータ電流Ｉｓ（ｔ）の周波数特性を求める例で説明したが、これに限られない。ＰＭモータ以外の要素、例えばフィルタ処理や遅れ要素などがある場合は、その影響を補償した時系列データを電圧指令Ｖｓ（ｔ）に加算して周波数特性を求めてもよい。これにより、さらに、高い精度でＰＭモータのモータ定数を算出することができる。
【００５７】
また、上記各実施の形態では、引き込み処理の後にモータを所定の位置に固定して、モータ電流を検出する例で説明したが、これに限られない。例えば、引き込み処理後の磁極軸の位置に対して、電気位相が異なる方向に電圧指令Ｖｓ（ｔ）を印加し、同方向に流れるモータ電流を検出してもよい。具体的には、引き込み処理後の磁極軸の位置に対して、電気位相が９０°異なる電気軸（ｑ軸）、すなわちＶ−Ｗ間に単相の印加電圧が印加されるように、Ｕ相に０、Ｖ相にＶｓ（ｔ）、Ｗ相に−Ｖｓを印加し、同方向であるＶ相のモータ電流を検出してもよい。これにより、磁極軸の位置によってモータ定数が変化するＰＭモータ、例えば埋め込み磁石型のＰＭモータなどにおいて、電圧指令Ｖｓ（ｔ）を印加する電気位相を任意に設定できるので、磁極軸の位置に応じたモータ定数を精度よく算出できる。特に、ｑ軸に電圧指令Ｖｓ（ｔ）を印加してモータ定数を算出することにより、ｑ軸のインダクタンスの値を算出できる。
【００５８】
また、上記各実施の形態では、ｄ軸のインダクタンスの値を算出する例で説明したが、これに限られない。例えば、磁極軸の位置によって、インダクタンスの値が変化しないＰＭモータの場合、算出されたｄ軸のインダクタンスの値をｑ軸のインダクタンスの値としてもよい。これにより、ＰＭモータの回転子を、所定の位置に固定することなくｑ軸のインダクタンスを算出できる。
【００５９】
本発明は、直流成分と複数の周波数成分を含む印加電圧をＰＭモータに印加する電圧印加ステップと、印加電圧に応じて流れるモータ電流を検出するモータ電流検出ステップと、印加電圧とモータ電流との周波数特性に基づいてＰＭモータのモータ定数を算出するモータ定数算出ステップと、を有する。これにより、短時間で、高い精度でモータ定数を算出できる。
【００６０】
また、本発明は、電圧を印加するステップで異なる複数の直流成分の印加電圧を用いる。これにより、モータ電流の大きさの変化に応じて、モータ定数であるインダクタンスの値を、短時間で、高い精度で算出できる。
【産業上の利用可能性】
【００６１】
本発明のＰＭモータのモータ定数算出方法およびモータ定数算出装置は、ＰＭモータのモータ定数を短時間で精度良く算出することができるため、モータ定数を必要とするＰＭモータの制御装置など全般に有用である。
【符号の説明】
【００６２】
１    電圧指令生成部
２    ＰＭモータ
３    インバータ
４ａ，４ｂ    電流検出器
５    電流検出部
６    モータ定数算出部
【図１】
2012046409.tif 000005
【図２】
2012046409.tif 000006
【図３】
2012046409.tif 000007
【図４Ａ】
2012046409.tif 000008
【図４Ｂ】
2012046409.tif 000009
【図５】
2012046409.tif 000010
【図６】
2012046409.tif 000011
【手続補正書】
【提出日】平成25年3月11日(2013.3.11)
【手続補正１】
【補正対象書類名】明細書
【補正対象項目名】全文
【補正方法】変更
【補正の内容】
【発明の詳細な説明】
【技術分野】
【０００１】
本発明は、ＰＭモータのモータ定数算出方法およびモータ定数算出装置に関する。
【背景技術】
【０００２】
近年、ＰＭモータを高精度に制御するために、モータの電機子抵抗やインダクタンスなどのモータ定数を正確に把握することが求められている。例えば、ＰＭモータの磁極位置をセンサなしで制御する位置センサレス制御では、モータ定数を用いて磁極位置を推定する手法が多く採用されている。また、ＰＭモータのベクトル制御では、電流制御が多く適用され、電流制御部のゲインを適切に設定するためにモータ定数を用いている。
【０００３】
そこで、モータを回転させずに、ＰＭモータのモータ定数を容易に求める技術がいくつか知られている（例えば、特許文献１参照）。特許文献１に開示された技術は、まず、ＰＭモータに直流電流を流した時の入力電圧と入力電流から巻線抵抗の値を求める。つぎに、ＰＭモータに交流電流を流したときの入力電圧と入力電流の基本波成分を抽出し、入力電圧と入力電流のそれぞれの大きさ、および入力電圧と入力電流の位相差からインダクタンスの値を求める。これにより、ＰＭモータのモータ定数を求めている。
【０００４】
また、ＰＭモータのモータ定数を求める別の技術は、例えば特許文献２に開示されている。特許文献２によれば、まず、大小の異なる２つのレベルの直流電流を流したときのそれぞれの電圧を記憶する。つぎに、記憶した２つのレベルの電圧の差分を、２つのレベルの電流の差分で除して巻線抵抗の値を算出する。同時に、大きいレベルの直流電流に基づく電圧値から小さいレベルの直流電流に基づく電圧値へ急変させたときの電流が、所定値に変化するまでの時間を計測する。そして、計測した時間と、算出した巻線抵抗の値からインダクタンスの値を算出する。
【０００５】
しかし、特許文献１では、巻線抵抗の値を求めるためにＰＭモータに流す直流電流が定常状態となるまでに時間が必要になる。また、巻線抵抗の値とインダクタンスの値を別々の試験信号を用いて計測するため、計測に時間を要するなどの課題があった。さらに、インダクタンスの値を求めるために流す交流電流の周波数を適切に設定しないと位相差の検出精度が低下する。そのため、計測した位相差の誤差が大きくなってしまう。
【０００６】
一方、特許文献２でも、特許文献１と同様に、巻線抵抗を求めるためにＰＭモータに流す直流電流が定常状態となるまでに時間が必要になる。また、巻線抵抗の値とインダクタンスの値を別々の試験信号を用いて計測するため、計測に時間を要するなどの課題があった。さらに、大きいレベルから小さいレベルの電圧値に急変させたときに流れる電流が所定値に変化するまでの時間を計測する場合、レベルの判断や、計測する時間に誤差を含みやすい。また、電流の大きさによってインダクタンスの値が変化するモータの場合、時定数一定の応答にならないため、正しいインダクタンスの値を算出できないという課題があった。
【先行技術文献】
【特許文献】
【０００７】
【特許文献１】特開２０００−３１２４９８号公報
【特許文献２】特開２００９−２３２５７３号公報
【発明の概要】
【０００８】
本発明のモータ定数算出方法は、直流成分と複数の周波数成分を含む印加電圧をＰＭモータに印加する電圧印加ステップと、電圧印加ステップで印加した印加電圧に応じて流れるモータ電流を検出するモータ電流検出ステップと、印加電圧とモータ電流に基づいてＰＭモータのモータ定数を算出するモータ定数算出ステップと、を有する。
【０００９】
これにより、ＰＭモータのモータ定数を短時間で精度良く算出できる。
【図面の簡単な説明】
【００１０】
【図１】図１は、本発明の実施の形態１におけるＰＭモータのモータ定数算出装置の構成を示すブロック図である。
【図２】図２は、本発明の実施の形態１におけるモータ定数を算出する処理の流れを示すフローチャートである。
【図３】図３は、ＰＭモータの単相通電状態を説明する等価回路図である。
【図４Ａ】図４Ａは、ＰＭモータの伝達関数（ゲイン）の周波数特性を示す図である。
【図４Ｂ】図４Ｂは、ＰＭモータの伝達関数（位相）の周波数特性を示す図である。
【図５】図５は、本発明の実施の形態２におけるモータ定数を算出する処理の流れを示すフローチャートである。
【図６】図６は、同実施の形態におけるモータ電流とインダクタンスとの関係を示す図である。
【発明を実施するための形態】
【００１１】
以下、本発明の実施の形態について、図面を参照しながら説明する。なお、本実施の形態によって本発明が限定されるものではない。
【００１２】
（実施の形態１）
以下に、本発明の実施に形態１おけるＰＭモータのモータ定数算出方法およびモータ定数算出装置について、図１を用いて説明する。
【００１３】
図１は、本発明の実施の形態１におけるＰＭモータのモータ定数算出装置の構成を示すブロック図である。なお、図１のブロック図は、ＰＭモータのモータ定数算出装置に必要となる機能部分のみを示している。そこで、図１を用いて各機能ブロックの機能と機能ブロック間の関係を説明する。
【００１４】
図１に示すように、本実施の形態のＰＭモータのモータ定数算出装置は、少なくとも電圧指令生成部１と、ＰＭモータ２と、インバータ３と、電流検出器４ａ、４ｂと、電流検出部５と、モータ定数算出部６と、から構成される。
【００１５】
すなわち、図１に示すＰＭモータのモータ定数算出装置は、以下に示すような機能ブロックの動作により、ＰＭモータ２を駆動する。
【００１６】
つまり、電圧指令生成部１は、モータ定数を算出するためにＰＭモータ２に印加する印加電圧の電圧指令を生成する。インバータ３は、電圧指令生成部１から出力される電圧指令を受けてＰＭモータ２に印加電圧を印加する。電流検出器４ａおよび電流検出器４ｂは、少なくともインバータ３からＰＭモータ２に流れるモータ電流Ｉｕ、Ｉｗを検出する。電流検出部５は、電流検出器４ａ、４ｂで検出されたモータ電流をモータ電流検出値に変換する。モータ定数算出部６は、電圧指令生成部１の出力である電圧指令と、電流検出部５の出力であるモータ電流検出値の入力に基づいて、ＰＭモータ２のモータ定数を算出する。
【００１７】
以下に、各機能ブロックの動作および作用について、図２から図４Ｂを用いて、図１を参照しながら説明する。
【００１８】
図２は、本発明の実施の形態１におけるモータ定数を算出する処理の流れを示すフローチャートである。図３は、ＰＭモータの単相通電状態を説明する等価回路図である。図４Ａは、ＰＭモータの伝達関数（ゲイン）の周波数特性を示す図である。図４Ｂは、ＰＭモータの伝達関数（位相）の周波数特性を示す図である。
【００１９】
図２に示すように、まず、モータ定数算出の処理が開始されると、インバータ３はＰＭモータ２に直流電圧を印加して、ＰＭモータ２の回転子を所定の位置に引き込む。これは、ＰＭモータ２は、回転子に磁石が存在するため電圧印加によって回転子が回転する場合があるので、予めＰＭモータ２の回転子を所定の位置に固定するためである。そのため、モータ定数の算出には、ＰＭモータ２の回転子が静止した状態で行うことが好ましい。そこで、例えばＵ相にＶａ、Ｖ相およびＷ相に−Ｖａ／２の直流電圧を印加して、ＰＭモータ２の回転子を所定の位置に引き込む（ステップＳ１０１）。なお、直流電圧Ｖａは、ＰＭモータ２の回転子が所定の位置に十分引き込まれるように、例えば電圧印加時にＰＭモータ２の定格電流程度の電流が流れる時の電圧として設定される。
【００２０】
このとき、ＰＭモータ２の回転子を所定の位置に引き込んだ後のＰＭモータ２の等価回路は、図３に示すようになる。つまり、図３に示すように、ＰＭモータ２の回転子は回転していないので、ＰＭモータ２の等価回路は相抵抗Ｒと相インダクタンスＬからなり、Ｕ−ＶＷ間に単相の印加電圧が印加されることになる。これにより、電流軸（ｄ軸）と磁極軸が一致した状態となる。
【００２１】
つぎに、モータ定数を算出するために、電圧指令生成部１は、ＰＭモータ２に印加する印加電圧である電圧指令Ｖｓ（ｔ）を生成する（ステップＳ１０２）。具体的には、（数１）に示すような、直流成分Ｖ０に複数の周波数成分を持つＶｎ（ｔ）を加算した電圧指令Ｖｓ（ｔ）を生成する。このとき、電圧指令Ｖｎ（ｔ）として、例えばＭ系列信号（Ｍａｘｉｍｕｍ  Ｌｅｎｇｔｈ  Ｓｅｑｕｅｎｃｅ  Ｓｉｇｎａｌ）を用いる。
【００２２】
なお、Ｖ０とＶｎを加算した電圧指令Ｖｓ（ｔ）を生成する理由については、後述する。
【００２３】
【数１】
2012046409.tif 000012
【００２４】
そして、電圧指令生成部１で生成された電圧指令Ｖｓ（ｔ）に基づいて、引き込み時と同様にＵ−ＶＷ間に単相の印加電圧が印加されるように、例えばＵ相にＶｓ（ｔ）、Ｖ相とＷ相に−Ｖｓ（ｔ）／２を印加する（ステップＳ１０３）。このとき、電圧指令Ｖｓ（ｔ）によってＰＭモータ２に流れるモータ電流は、磁極軸と同じｄ軸に流れるので、ＰＭモータ２の回転子を回転させるトルクは発生しない。これにより、ＰＭモータ２の回転子を静止させた状態で、モータ定数を算出するためのデータ測定が可能となる。
【００２５】
つぎに、電流検出器４ａ、４ｂおよび電流検出部５は、ステップＳ１０３の印加電圧を印加した時に流れるモータ電流Ｉｓ（ｔ）を検出する。
【００２６】
そして、ステップＳ１０３で印加された電圧指令Ｖｓ（ｔ）と、電圧指令Ｖｓ（ｔ）の応答となるモータ電流Ｉｓ（ｔ）とをサンプリングし、時系列データとして取り込む（ステップＳ１０４）。この場合、モータ電流Ｉｓ（ｔ）は、Ｕ−ＶＷ間に印加された単相の印加電圧に対するモータ電流となるため、Ｕ相のモータ電流がサンプリングされることになる。
【００２７】
つぎに、印加電圧時系列データの入力である電圧指令Ｖｓ（ｔ）と、検出電流時系列データの出力であるモータ電流Ｉｓ（ｔ）との関係を用いて、電圧指令Ｖｓ（ｔ）からモータ電流Ｉｓ（ｔ）への伝達関数Ｈ（ｓ）の周波数特性を求める（ステップＳ１０５）。なお、伝達関数Ｈ（ｓ）の周波数特性は、電圧指令Ｖｓ（ｔ）およびモータ電流Ｉｓ（ｔ）を、ＦＦＴ（Ｆａｓｔ  Ｆｏｕｒｉｅｒ  Ｔｒａｎｓｆｏｒｍ）処理などにより得ることができる。
【００２８】
このとき、電圧指令Ｖｓ（ｔ）が印加されているときのＰＭモータの等価回路は図３に示した通りで伝達関数は（数２）式で表される。
【００２９】
【数２】
2012046409.tif 000013
【００３０】
なお、伝達関数は、カットオフ周波数がＲ／Ｌ、ＤＣ（Ｄｉｒｅｃｔ  Ｃｕｒｒｅｎｔ）ゲインが１／Ｒとなる一次遅れ特性となる。
【００３１】
ここで、（数２）式で示される伝達関数の周波数特性について、図４Ａと図４Ｂを用いて説明する。
【００３２】
図４Ａは、ＰＭモータの伝達関数（ゲイン）の周波数特性を示す図である。図４Ｂは、ＰＭモータの伝達関数（位相）の周波数特性を示す図である。
【００３３】
図４Ａと図４Ｂに示すように、ＰＭモータの伝達関数の周波数特性である、ゲインおよび位相と周波数との関係を調べることにより、カットオフ周波数Ｒ／ＬおよびＤＣゲイン１／Ｒを求めることができる。このとき、例えばカットオフ周波数はゲイン特性のＤＣゲインから約３ｄＢ下がる周波数として求めてもよいし、位相が−４５°となる周波数としても求めてもよい。また、ＤＣゲインは低周波数域のゲイン特性から求めてもよいし、カットオフ周波数でのＤＣゲインに約３ｄＢ加算した値から求めてもよい。
【００３４】
そして、モータ定数である、電気的時定数Ｌ／Ｒはカットオフ周波数の逆数より、相抵抗ＲはＤＣゲインの逆数より、インダクタンスＬは得られたカットオフ周波数と、ゲイン特性のＤＣゲインとから計算できる（ステップＳ１０６）。なお、上記により得られるインダクタンスＬの値はｄ軸のインダクタンスの値である。
【００３５】
以上で説明したように、本実施の形態によれば、直流成分と複数の周波数成分を含む印加電圧をＰＭモータに印加し、印加した印加電圧に応じて流れるモータ電流を検出することにより、印加した印加電圧と検出されたモータ電流との関係を用いてＰＭモータのモータ定数を算出する。つまり、直流成分と複数の周波数成分を含む印加電圧を印加して、モータ電流を検出するだけでモータ定数を算出できる。
【００３６】
これにより、モータ電流が定常状態になるまで待つ時間を不要とするとともに、複数の試験信号を印加してモータ定数を算出する必要がないので、大幅な時間短縮が可能となる。
【００３７】
また、本実施の形態によれば、電圧指令とモータ電流の関係である周波数特性を用いて、モータ定数を算出する。その結果、ノイズなどの影響を分離して、高い精度でモータ定数を算出できる。さらに、カットオフ周波数を位相が−４５°となる周波数として求める場合、最も位相変化が大きな点で求めることができる。そのため、モータ定数であるカットオフ周波数を高精度で求めることができる。
【００３８】
（実施の形態２）
本発明の実施の形態２におけるＰＭモータのモータ定数算出方法およびモータ定数算出装置について、図を用いて説明する。
【００３９】
本実施の形態では、ＰＭモータに、異なる複数の直流成分を含む印加電圧を印加してモータ定数であるインダクタンスの値を算出する点で、実施の形態１とは異なる。他の構成や動作は、実施の形態１と同様であるので、説明を省略する。
【００４０】
以下に、異なる複数の直流成分を含む印加電圧を印加してモータ定数であるインダクタンスの値を算出する理由について説明する。
【００４１】
一般に、モータの種類により、磁気飽和などの影響や、モータ電流の大きさによってモータのモータ定数であるインダクタンスの値は変化する。しかし、実施の形態１のモータ定数であるインダクタンスの値の算出方法では、１つのインダクタンスの値しか算出されない。そのため、上記で示す理由により、モータ定数が変化した場合には、正確なインダクタンスの値でモータを制御できない場合があるためである。
【００４２】
以下に、本実施の形態の各機能ブロックの動作および作用について、図５と図６を用いて、図１を参照しながら具体的に説明する。
【００４３】
図５は、本発明の実施の形態２におけるモータ定数を算出する処理の流れを示すフローチャートである。図６は、同実施の形態におけるモータ電流とインダクタンスとの関係を示す図である。なお、図５において、ステップＳ１０１からステップＳ１０６は、図２を用いて説明した実施の形態１と同様の処理を行うので、説明を省略する。
【００４４】
つまり、図５では、図２の各ステップに、さらにステップＳ２０７の処理が追加されているので、追加されたステップについて詳細に説明する。
【００４５】
図５に示すように、ステップＳ１０１からステップＳ１０６の処理を実行した後、ステップＳ１０２での電圧指令の生成において複数ある直流成分Ｖ０の印加電圧の全てが設定されたか否かを判断する（ステップＳ２０７）。ここで、複数の直流成分Ｖ０の印加電圧は、ゼロからＰＭモータ２の仕様である最大電流が流れるときの電圧値までの間で、予め設定される。
【００４６】
このとき、複数ある直流成分Ｖ０の印加電圧のうち、設定していない値（印加電圧）がある場合（ステップＳ２０７のＹｅｓ）、複数ある直流成分Ｖ０の印加電圧のうち、設定していない値（印加電圧）を１つ選択し、ステップＳ１０２に戻る。そして、ステップＳ１０２からステップＳ１０６の処理を順次繰り返して実行し、複数ある直流成分の各印加電圧に対するＰＭモータのモータ定数を算出する。
【００４７】
一方、複数ある直流成分Ｖ０の印加電圧の全ての値が実行された場合（ステップＳ２０７のＮｏ）、モータ定数の算出処理を終了する。
【００４８】
つまり、ステップＳ１０２からステップＳ１０６までの処理を繰り返して、直流成分Ｖ０の印加電圧を複数設定することにより、図６に示すような各直流成分Ｖ０の印加電圧に対応するモータ電流の平均値と算出されたモータ定数であるインダクタンスとの関係が複数得られる。
【００４９】
そして、図６に示す関係から、ＰＭモータのモータ電流に応じた複数のモータ定数である、例えばインダクタンスの値を算出できる。
【００５０】
これにより、モータ電流の変化まで考慮して、安定でかつ高い精度で複数のモータ定数であるインダクタンスの値を算出できる。
【００５１】
以上のように、本実施の形態によれば、複数の直流成分と複数の周波数成分を含む印加電圧をＰＭモータに印加し、印加した複数の印加電圧に応じて流れる複数のモータ電流を検出することにより、複数の印加した印加電圧と検出されたモータ電流の関係を用いてＰＭモータのモータ定数を算出する。
【００５２】
これにより、変化するモータ電流に応じたモータ定数の算出が可能となる。
【００５３】
なお、上記各実施の形態では、ＰＭモータのモータ定数の算出方法について説明したが、これに限られず、同様の機能を有すれば、どのような構成や具現化方法を用いてもよいことは言うまでもない。例えば、図１のブロック図におけるＰＭモータ２以外の機能ブロックをＰＭモータのモータ定数算出装置の１つの機能として組み込み、設定により機能させる構成としてもよい。また、電圧指令生成部１とモータ定数算出部６をＰＭモータのモータ定数算出装置と連動するＰＣ（Ｐｅｒｓｏｎａｌ  Ｃｏｍｕｐｕｔｏｒ）のアプリケーションソフトとして構成してもよい。これにより、モータ定数算出装置の構成を簡略化できる。
【００５４】
また、引き込み処理（ステップＳ１０１）での印加電圧をＶａとしたが、ＰＭモータの回転子が引き込まれるのであれば任意の異なる値でもよい。
【００５５】
また、上記各実施の形態では、電圧指令Ｖｓ（ｔ）に加算される複数の周波数成分を含む信号としてＭ系列信号を用いる例で説明したが、これに限られない。例えば、周波数特性を求めることができれば、ホワイトノイズ信号や、正弦波掃引信号など時間的に周波数の変化する正弦波信号など、他の信号を用いてもよい。これにより、必要に応じて、任意の信号で周波数特性を求めることができる。
【００５６】
また、上記各実施の形態では、印加する電圧指令Ｖｓ（ｔ）からモータ電流Ｉｓ（ｔ）の周波数特性を求める例で説明したが、これに限られない。ＰＭモータ以外の要素、例えばフィルタ処理や遅れ要素などがある場合は、その影響を補償した時系列データを電圧指令Ｖｓ（ｔ）に加算して周波数特性を求めてもよい。これにより、さらに、高い精度でＰＭモータのモータ定数を算出することができる。
【００５７】
また、上記各実施の形態では、引き込み処理の後にモータを所定の位置に固定して、モータ電流を検出する例で説明したが、これに限られない。例えば、引き込み処理後の磁極軸の位置に対して、電気位相が異なる方向に電圧指令Ｖｓ（ｔ）を印加し、同方向に流れるモータ電流を検出してもよい。具体的には、引き込み処理後の磁極軸の位置に対して、電気位相が９０°異なる電気軸（ｑ軸）、すなわちＶ−Ｗ間に単相の印加電圧が印加されるように、Ｕ相に０、Ｖ相にＶｓ（ｔ）、Ｗ相に−Ｖｓを印加し、同方向であるＶ相のモータ電流を検出してもよい。これにより、磁極軸の位置によってモータ定数が変化するＰＭモータ、例えば埋め込み磁石型のＰＭモータなどにおいて、電圧指令Ｖｓ（ｔ）を印加する電気位相を任意に設定できるので、磁極軸の位置に応じたモータ定数を精度よく算出できる。特に、ｑ軸に電圧指令Ｖｓ（ｔ）を印加してモータ定数を算出することにより、ｑ軸のインダクタンスの値を算出できる。
【００５８】
また、上記各実施の形態では、ｄ軸のインダクタンスの値を算出する例で説明したが、これに限られない。例えば、磁極軸の位置によって、インダクタンスの値が変化しないＰＭモータの場合、算出されたｄ軸のインダクタンスの値をｑ軸のインダクタンスの値としてもよい。これにより、ＰＭモータの回転子を、所定の位置に固定することなくｑ軸のインダクタンスを算出できる。
【００５９】
本発明は、直流成分と複数の周波数成分を含む印加電圧をＰＭモータに印加する電圧印加ステップと、印加電圧に応じて流れるモータ電流を検出するモータ電流検出ステップと、印加電圧とモータ電流との周波数特性に基づいてＰＭモータのモータ定数を算出するモータ定数算出ステップと、を有する。これにより、短時間で、高い精度でモータ定数を算出できる。
【００６０】
また、本発明は、電圧を印加するステップで異なる複数の直流成分の印加電圧を用いる。これにより、モータ電流の大きさの変化に応じて、モータ定数であるインダクタンスの値を、短時間で、高い精度で算出できる。
【産業上の利用可能性】
【００６１】
本発明のＰＭモータのモータ定数算出方法およびモータ定数算出装置は、ＰＭモータのモータ定数を短時間で精度良く算出することができるため、モータ定数を必要とするＰＭモータの制御装置など全般に有用である。
【符号の説明】
【００６２】
１  電圧指令生成部
２  ＰＭモータ
３  インバータ
４ａ，４ｂ  電流検出器
５  電流検出部
６  モータ定数算出部
【手続補正２】
【補正対象書類名】特許請求の範囲
【補正対象項目名】全文
【補正方法】変更
【補正の内容】
【特許請求の範囲】
【請求項１】
直流成分と複数の周波数成分を含む印加電圧をＰＭモータに印加する電圧印加ステップと、
前記電圧印加ステップで印加した前記印加電圧に応じて流れるモータ電流を検出するモータ電流検出ステップと、
前記印加電圧と前記モータ電流に基づいて前記ＰＭモータのモータ定数を算出するモータ定数算出ステップと、
を有するＰＭモータのモータ定数算出方法。
【請求項２】
前記電圧印加ステップにおいて、異なる複数の直流成分と前記複数の周波数成分を含む印加電圧をＰＭモータに印加する請求項１記載のＰＭモータのモータ定数算出方法。
【請求項３】
前記複数の周波数成分を含む前記印加電圧が、ホワイトノイズを加算した前記印加電圧である請求項１または請求項２のいずれか１項に記載のＰＭモータのモータ定数算出方法。
【請求項４】
前記ホワイトノイズは、Ｍ系列信号である請求項３記載のＰＭモータのモータ定数算出方法。
【請求項５】
前記複数の周波数成分を含む前記印加電圧は、時間的に周波数の変化する正弦波を加算した前記印加電圧である請求項１記載のＰＭモータのモータ定数算出方法。
【請求項６】
前記モータ定数算出ステップは、
印加電圧時系列データを入力とし、検出電流時系列データを出力とした周波数特性を演算し、前記周波数特性から前記ＰＭモータの前記モータ定数を算出する請求項１記載のＰＭモータのモータ定数算出方法。
【請求項７】
前記モータ定数算出ステップにおいて、
算出される前記ＰＭモータの前記モータ定数は、電気的時定数、抵抗値、インダクタンス値のうち少なくとも１つである請求項１記載のＰＭモータのモータ定数算出方法。
【請求項８】
前記モータ定数算出ステップは、
前記周波数特性からカットオフ周波数を求め、前記カットオフ周波数から前記ＰＭモータの前記電気的時定数を算出する請求項７記載のＰＭモータのモータ定数算出方法。
【請求項９】
前記モータ定数算出ステップは、
前記周波数特性からカットオフ周波数を求め、前記カットオフ周波数より低周波領域のゲイン特性から前記ＰＭモータの前記抵抗値を算出する請求項７記載のＰＭモータのモータ定数算出方法。
【請求項１０】
前記モータ定数算出ステップは、
前記周波数特性からカットオフ周波数を求め、前記カットオフ周波数でのゲイン特性から前記ＰＭモータの前記抵抗値を算出する請求項７記載のＰＭモータのモータ定数算出方法。
【請求項１１】
前記モータ定数算出ステップは、
前記周波数特性からカットオフ周波数を求め、前記カットオフ周波数から前記ＰＭモータの前記電気的時定数を算出し、前記カットオフ周波数より低周波領域のゲイン特性もしくは前記カットオフ周波数でのゲイン特性から前記ＰＭモータの前記抵抗値を算出し、算出された前記電気的時定数および前記抵抗値から前記ＰＭモータの前記インダクタンス値を算出する請求項７記載のＰＭモータのモータ定数算出方法。
【請求項１２】
請求項１から１１記載のいずれか１項に記載のＰＭモータのモータ定数算出方法を有するＰＭモータのモータ定数算出装置。
【手続補正３】
【補正対象書類名】図面
【補正対象項目名】全図
【補正方法】変更
【補正の内容】
【図１】
2012046409.tif 000014
【図２】
2012046409.tif 000015
【図３】
2012046409.tif 000016
【図４Ａ】
2012046409.tif 000017
【図４Ｂ】
2012046409.tif 000018
【図５】
2012046409.tif 000019
【図６】
2012046409.tif 000020
【国際調査報告】
2012046409.tif 000021
2012046409.tif 000022
2012046409.tif 000023
2012046409.tif 000024